(57)【要約】【課題】エレベータ用スチールテープの巻き取り装置において、簡易な構造により、昇降路に配置されたスチールテープであって、撤去されるスチールテープを確実に、かつ安全に巻き取ることができるようにする。【解決手段】エレベータ用スチールテープの巻き取り装置１０は、基台１２にラチェット機構１６を介して一方向にのみ回転可能に支持された回転軸１４と、回転軸１４に接続し、手動により回転軸１４を回転駆動するハンドル部１８と、回転軸１４に着脱可能に固定され、長尺帯状のスチールテープを巻き取るための巻芯２０であって、スチールテープの先端を固定する固定手段を有する巻芯２０とを備える。【選択図】図２
2009126663.tif 000002
【特許請求の範囲】
【請求項１】
基台にラチェット機構を介して一方向にのみ回転可能に支持された回転軸と、
前記回転軸に接続し、手動により前記回転軸を回転駆動するハンドル部と、
前記回転軸に着脱可能に固定され、長尺帯状のスチールテープを巻き取るための巻芯であって、スチールテープの先端を固定する固定手段を有する巻芯と、
を備えることを特徴とするエレベータ用スチールテープの巻き取り装置。
【請求項２】
請求項１に記載のエレベータ用スチールテープの巻き取り装置において、
前記巻芯は、中空の筒形状であり、
前記固定手段は、筒部に軸方向に沿って形成されスチールテープの先端を挿入可能なスリットであることを特徴とするエレベータ用スチールテープの巻き取り装置。
【請求項３】
請求項１に記載のエレベータ用スチールテープの巻き取り装置において、
前記固定手段は、前記巻芯から径方向に突出してスチールテープのカム取付孔に引っ掛かる突出部であることを特徴とするエレベータ用スチールテープの巻き取り装置。
【請求項４】
請求項１に記載のエレベータ用スチールテープの巻き取り装置において、
前記巻芯は、中空の筒形状であり、
前記固定手段は、
筒部に軸方向に沿って形成されスチールテープの先端を挿入可能なスリットと、
前記巻芯から径方向に突出してスチールテープのカム取付孔に引っ掛かる突出部と、
から構成されることを特徴とするエレベータ用スチールテープの巻き取り装置。
【請求項５】
請求項１から４のいずれか１つに記載のエレベータ用スチールテープの巻き取り装置において、
前記固定手段は、スチールテープを軸方向に複数並べて同時に巻き取ることができるように並べて設けられていることを特徴とするエレベータ用スチールテープの巻き取り装置。
【請求項６】
請求項５に記載のエレベータ用スチールテープの巻き取り装置において、
前記巻芯は、隣接するスチールテープの間を仕切る仕切り板を有することを特徴とするエレベータ用スチールテープの巻き取り装置。
【発明の詳細な説明】
【技術分野】
【０００１】
本発明は、エレベータのかごの位置を検出する位置検出装置を改修する際に撤去されるエレベータ用スチールテープを巻き取るための巻き取り装置に関する。
【背景技術】
【０００２】
従来より、エレベータのかごの位置を検出するための技術が提案されている。例えば、下記特許文献１には、スチールテープを用いてエレベータのかごの位置を検出する位置検出装置が開示されている。以下、この装置について図を用いて説明する。
【０００３】
図１は、エレベータのかごの位置を検出する従来の位置検出装置の概略構成を示す図である。エレベータの昇降路１１０には、かご１２０が上下に移動可能に設けられている。かご１２０には、かご１２０の位置を検出する着床スイッチを内部に有する着床スイッチ組立体であるメカランユニット（メカニカルランディングスイッチユニット）１１２が設けられている。また、昇降路１１０には、昇降路１１０の上端部から下端部まで一体に延びたスチールテープ１３０が、昇降路１１０の内壁に沿って複数配置されている。
【０００４】
図に示すように、メカランユニット１１２は、かご１２０を支える縦柱１２２に固定されている。メカランユニット１１２の内部には、メカランスイッチ１１４がそれぞれスチールテープ１３０に対応して設けられている。メカランスイッチ１１４は各階ごとにかご１２０を停止させる着床スイッチとして機能する。スチールテープ１３０は、長尺帯状のスチール製のテープであり、長手方向に等間隔にカム取付孔１３０ａが形成されている。このカム取付孔１３０ａを利用し、スチールテープ１３０に台形状の着床作動カム１３２が取り付けられる。かご１２０が昇降路１１０内を上下に移動して、メカランスイッチ１１４が着床作動カム１３２と接触し、メカランスイッチ１１４に設けられた検知レバー（図示せず）が移動することによりメカランユニット１１２はかご１２０の位置を検出することができる。
【０００５】
【特許文献１】特開２０００−３４４４３３号公報
【発明の開示】
【発明が解決しようとする課題】
【０００６】
一般的に、エレベータのリニューアルを目的としたエレベータの改修工事においては、既設機器を全面的に新規機器に交換、あるいは主要機器を部分的に新規機器に交換する作業が行なわれる。上述したかごの位置を検出する位置検出装置に関しても、改修工事のときには、新規の位置検出装置に交換することになる。この場合、従来の位置検出装置に用いられ、昇降路に配置されたスチールテープを撤去する作業が必要になる。スチールテープを撤去する作業は、通常、昇降路の下端部から上端部に向けてスチールテープを作業員の手によって巻き取りながら行なわれる。このようなスチールテープの巻き取り撤去作業においては、スチールテープが反発力を有するため、巻き取ったスチールテープがほどけてしまうという問題があった。また、スチールテープの縁は鋭く尖っているため、作業中に手を怪我してしまう問題があった。
【０００７】
本発明の目的は、簡易な構造により、昇降路に配置されたスチールテープであって、撤去されるスチールテープを確実に、かつ安全に巻き取ることができるエレベータ用スチールテープの巻き取り装置を提供することにある。
【課題を解決するための手段】
【０００８】
本発明は、基台にラチェット機構を介して一方向にのみ回転可能に支持された回転軸と、前記回転軸に接続し、手動により前記回転軸を回転駆動するハンドル部と、前記回転軸に着脱可能に固定され、長尺帯状のスチールテープを巻き取るための巻芯であって、スチールテープの先端を固定する固定手段を有する巻芯とを備えることを特徴とする。
【０００９】
また、前記巻芯は、中空の筒形状であり、前記固定手段を、筒部に軸方向に沿って形成されスチールテープの先端を挿入可能なスリットとすることができる。
【００１０】
また、前記固定手段を、前記巻芯から径方向に突出してスチールテープのカム取付孔に引っ掛かる突出部とすることができる。
【００１１】
また、前記巻芯は、中空の筒形状であり、前記固定手段を、筒部に軸方向に沿って形成されスチールテープの先端を挿入可能なスリットと、前記巻芯から径方向に突出してスチールテープのカム取付孔に引っ掛かる突出部と、から構成することができる。
【００１２】
また、前記固定手段を、スチールテープを軸方向に複数並べて同時に巻き取ることができるように並べて設けることができる。
【００１３】
さらに、前記巻芯は、隣接するスチールテープの間を仕切る仕切り板を有することが好適である。
【発明の効果】
【００１４】
本発明のエレベータ用スチールテープの巻き取り装置によれば、簡易な構造により、昇降路に配置されたスチールテープであって、撤去されるスチールテープを確実に、かつ安全に巻き取ることができる。
【発明を実施するための最良の形態】
【００１５】
以下、本発明に係るエレベータ用スチールテープの巻き取り装置の実施形態について、図を用いて説明する。
【００１６】
図２は、本実施形態のエレベータ用スチールテープの巻き取り装置１０の概略構成を示す図である。そして、図３は、図２のＡ−Ａ線による断面図である。
【００１７】
エレベータ用スチールテープの巻き取り装置（以下、単に装置と記す）１０は、基台１２と、基台１２に回転可能に支持された回転軸１４と、回転軸１４に接続して手動により回転軸１４を回転駆動するハンドル部１８と、回転軸１４に固定された巻芯２０とを有する。
【００１８】
基台１４と回転軸１４は、ラチェット機構１６を介して接続されている。このため、回転軸１４は、一方向にのみ回転することができる。以下、ラチェット機構１６について図４を用いて詳述する。
【００１９】
ラチェット機構１６は、つめ歯１６ａと、このつめ歯１６ａに係合するつめ１６ｂとから構成される。つめ歯１６ａは回転軸１４と一体に回転する。つめ１６ｂは、ばね部材（図示せず）によって、つめ歯１６ａに接するように付勢される。つめ歯１６ａが図中の矢印の方向（反時計回りの方向）に回転する場合、つめ１６ｂはつめ歯１６ａの歯を乗り越えることができる。一方、つめ歯１６ａが時計回りの方向に回転する場合、つめ１６ｂがつめ歯１６ａの歯に食い込むためつめ歯１６ａの回転が阻止される。したがって、回転軸１４は、ラチェット機構１６により一方向（反時計回り方向）にのみ回転することができる。なお、本実施形態におけるラチェット機構１６は、上述した構成に限定されず、周知のラチェット機構を採用することができる。
【００２０】
図２および３に戻り、回転軸１４は、これの先端に止めねじ３０を有する。止めねじ３０は、回転軸１４本体に螺合している。この止めねじ３０が基台１２に回転可能に支持される。一方、回転軸１４の基端には、ハンドル部１８が接続されている。
【００２１】
回転軸１４には、着脱可能に巻芯２０が固定されている。巻芯２０は、エレベータ用スチールテープを巻き取るためのものである。巻芯２０は、これの内部が中空の円筒形状である。この円筒の端面２８には、回転軸１４に形成されたキー１４ａに対応するキー溝２８ａが形成されている。この構成により、巻芯２０は、回転軸１４に固定され、回転軸１４と同期して回転することができる。また、後述するが、回転軸１４本体から止めねじ３０を取り外すことで、巻芯２０を軸方向に回転軸１４の先端に向けてスライドさせて、回転軸１４から取り外すことができる。
【００２２】
本実施形態における巻芯２０は、スチールテープの先端を固定する固定手段を有する。固定手段は、巻芯２０の筒部に軸方向に沿って形成されたスリット２２と、巻芯２０から径方向に突出した突出部２４とから構成される。突出部２４は、巻芯２０の筒部に固定した例えばビスである。スチールテープの先端の詳細な固定方法については後述する。スリット２２と突出部２４は、巻芯２０の筒部に軸方向に間隔を空けて５組設けられている。したがって、巻芯２０は、５本のスチールテープを巻き取ることができる。また、巻芯２０の筒部には、隣接するスチールテープの間を仕切る仕切り板２６が４個設けられている。仕切り板２６により巻き取られるスチールテープが仕切られることにより、巻き取り途中におけるスチールテープの型崩れを防止することができる。
【００２３】
なお、本実施形態における巻芯２０は、スチールテープを５本巻き取ることができるが、スチールテープの巻き取り本数は一例であって、本発明はこれらの数に限定されない。スチールテープを３本巻き取る場合においては、スリット２２と突出部２４を３組、仕切り板２６を２個有する巻芯２０を用いることができるし、スチールテープを６本巻き取る場合においては、スリット２２と突出部２４を６組、仕切り板２６を５個有する巻芯２０を用いることができる。
【００２４】
次に、装置１０によりスチールテープを巻き取る動作について説明する。
【００２５】
まず、スチールテープの先端を固定する固定方法について図５を用いて説明する。図５は、スチールテープの先端を巻芯に固定した状態を示す断面図である。
【００２６】
スチールテープ３２の先端は、スリット２２に挿入される。そして、スチールテープ３２を巻芯２０に巻きつけることにより、スリット２２にスチールテープ３２がその反発力で付勢して引っ掛かり、スチールテープ３２の先端がスリット２２から引き抜かれることを防止する。これにより、スチールテープ３２の先端が巻き取る方向に移動することなく固定される。
【００２７】
また、スチールテープ３２を巻芯２０に巻きつけるときに、スチールテープ３２の先端に近い部分にあるカム取付孔３４が突出部２４に引っ掛かる。具体的には、カム取付孔３４の縁であって、スチールテープ３２の先端側の縁に突出部２４が引っ掛かる。これにより、スチールテープ３２の先端が巻き取る方向に移動することなく固定される。
【００２８】
本実施形態においては、スチールテープ３２を固定する固定手段がスリット２２と突出部２４とから構成される場合について説明したが、これに限定されない。スリット２２と突出部２４のいずれか一方のみを固定手段として採用することができる。
【００２９】
上述のようにスチールテープ３２の先端が巻芯２０に固定されると、作業員がハンドル部１８を回転させる。ハンドル部１８の回転により、回転軸１４が回転し、それに同期して巻芯２０が回転してスチールテープ３２が巻き取られる。このとき、仮に作業員がハンドル部１８から手を離したとしても、上述したラチェット機構１６が、スチールテープ３２の反発力により回転軸１４及び巻芯２０が逆回転してしまい巻き取ったスチールテープ３２がほどけようとすることを防止する。スチールテープ３２が全て巻き取られると、スチールテープ３２の端部を、巻芯２０に巻き取られたスチールテープ３２にテープなどで固定する。その後、装置１０からスチールテープ３２とともに巻芯２０を取り外す。その具体的な作業について、図６を用いて次に説明する。
【００３０】
図６は、装置１０から巻芯２０を取り外すときの状態を示す図である。回転軸１４本体から止めねじ３０を取り外す。そうすると、基台１２から回転軸１４の先端が取り外される。巻芯２０は、回転軸１４の先端に向けてスライドすることができ、そのまま取り外すことができる。これにより、巻き取ったスチールテープ３２を巻芯２０ごと廃棄することができる。
【００３１】
本実施形態の装置１０によれば、スチールテープの巻き取り撤去作業において巻き取ったスチールテープがほどけることなく、また、作業員の手を怪我することなく、スチールテープを確実にかつ安全に巻き取ることができる。
【図面の簡単な説明】
【００３２】
【図１】従来のエレベータのかごの位置を検出する位置検出装置の概略構成を示す図である。
【図２】本実施形態のエレベータ用スチールテープの巻き取り装置の概略構成を示す図である。
【図３】図２のＡ−Ａ線による断面図である。
【図４】ラチェット機構を示す図である。
【図５】スチールテープの先端を巻芯に固定した状態を示す断面図である。
【図６】エレベータ用スチールテープの巻き取り装置から巻芯を取り外すときの状態を示す図である。
【符号の説明】
【００３３】
１０  エレベータ用スチールテープの巻き取り装置、１２  基台、１４  回転軸、１６  ラチェット機構、１８  ハンドル部、２０  巻芯、２２  スリット、２４  突出部、２６  仕切り板、３２  スチールテープ、３４  カム取付孔。
【図１】
2009126663.tif 000003
【図２】
2009126663.tif 000004
【図３】
2009126663.tif 000005
【図４】
2009126663.tif 000006
【図５】
2009126663.tif 000007
【図６】
2009126663.tif 000008